(57)【要約】【課題】バサツキ音を抑え、空気の流れを円滑にすることができる空気調和機を提供する。【解決手段】熱交換器５と、スタビライザ８とリアガイダ７ａで形成された吹き出し口９と、前記熱交換器５で熱交換された空気を前記吹き出し口９から吹き出すファン６と、前記ファン６と前記吹き出し口９を連通する送風路１１とを備え、前記リアガイダ７ａを、送風路１１の途中に設けた曲げ支点１３を中心に回動変形させて、前記送風路１１の通路面積を変えるようにしたもので、バサツキ音が発生していないときは、送風路１１を縮小しないようにして、風量を確保するようにし、反対にバサツキ音が発生した時には、リアガイダ７ａを変形させて、送風路１１の通路面積を縮小することで、静圧を向上させバサツキ音を防止することができる。【選択図】図２
2008008500.tif 000002
【特許請求の範囲】
【請求項１】
熱交換器と、スタビライザとリアガイダで形成された吹き出し口と、前記熱交換器で熱交換された空気を前記吹き出し口から吹き出すファンと、前記ファンと前記吹き出し口を連通する送風路とを備え、前記リアガイダを変形させて、前記送風路の通路面積を変えるようにしたことを特徴とする空気調和機。
【請求項２】
熱交換器と、スタビライザとリアガイダで形成された吹き出し口と、前記熱交換器で熱交換された空気を前記吹き出し口から吹き出すファンと、前記ファンと前記吹き出し口を連通する送風路とを備え、前記スタビライザを変形させて、前記送風路の通路面積を変えるようにしたことを特徴とする空気調和機。
【請求項３】
ファンの回転数に応じて、リアガイダ又は／及びスタビライザを変形させることを特徴とする請求項１または２に記載の空気調和機。
【請求項４】
ファンの回転数が低い場合は、送風路の通路面積を縮小するように、前記ファンの回転数が高い場合には前記送風路の通路面積を拡大するように、リアガイダ又は／及びスタビライザを変形させることを特徴とする請求項３に記載の空気調和機。
【請求項５】
吹き出し口に空気の吹き出し方向を変える風向変更羽根を回動自在に設け、送風路の通路面積の縮小・拡大及び前記風向変更羽根による風向変更を助長するように、リアガイダ又は／及びスタビライザを変形させることを特徴とする請求項１〜４のいずれか１項に記載の空気調和機。
【請求項６】
風向変更羽根を送風路の延長上に配置したことを特徴とする請求項５に記載の空気調和機。
【発明の詳細な説明】
【技術分野】
【０００１】
本発明は、空気調和機に関するものである。
【背景技術】
【０００２】
従来のこの種の空気調和機は、吸込み口から室内空気を吸込み、これを熱交換器で熱交換を行って温度調節をした後、空調風として吹き出し口から室内へ吹き出すようになっている。
【０００３】
従来の空気調和機について、図６を用いて説明する。図６は、従来の空気調和機の室内ユニットの断面図を示すもので、本体１の上部には空気を取り入れる吸い込みグリル４が配され、吸い込みグリル４の下流側には、熱交換器５が設けられている。ケーシングを構成するリアガイダ７とスタビライザ８との間にはファン６が配され、リアガイダ７とスタビライザ８と側壁１２とで空気の吹き出し口９を形成し、送風回路を構成しており、リアガイダ７の少なくとも一方の端部の前記ファン６近傍から前記吹出し口部９までの間には、頂点を上流側に向けた三角錐形状の楔１０が設けられている。
【０００４】
従来の空気調和機は、上記のように構成され、ファン６より下流側で、リアガイダ７とスタビライザ８により形成される通風路中に、頂点を上流側に向けた三角錐形状の楔１０を設けことにより、ファン６によって送風された空気の流れの軸方向乱れを抑制し、空気の流れを整流することにより、バサバサという断続的な異常音（バサツキ音、サージング）を抑え、空気の流れを円滑にするようにしていた（例えば、特許文献１参照）。
【特許文献１】特開２００４−２７１０４４号公報
【発明の開示】
【発明が解決しようとする課題】
【０００５】
しかしながら、前記従来の空気調和機の構成では、楔１０の効果により、空気の流れの軸方向乱れを抑制し、空気の流れを整流させてバサツキ音（サージング）を抑え、空気の流れを円滑にすることはできるが、一方で、吹き出し口９の通風抵抗が常に大きくなるという課題を有していた。
【０００６】
本発明は、前記従来の課題を解決するもので、送風性能の低下を最小限に抑えながら、バサツキ音を抑えることのできる空気調和機を提供することを目的とする。
【課題を解決するための手段】
【０００７】
前記従来の課題を解決するために、本発明の空気調和機は、熱交換器と、スタビライザとリアガイダで形成された吹き出し口と、前記熱交換器で熱交換された空気を前記吹き出し口から吹き出すファンと、前記ファンと前記吹き出し口を連通する送風路とを備え、前記リアガイダを変形させて、前記送風路の通路面積を変えるようにしたもので、バサツキ音が発生していないときは、送風路を縮小しないようにして、風量を確保するようにし、反対にバサツキ音が発生した時には、リアガイダを変形させて、送風路の通路面積を縮小することで、静圧を向上させバサツキ音を防止することができる。
【０００８】
また、本発明の空気調和機は、熱交換器と、スタビライザとリアガイダで形成された吹き出し口と、前記熱交換器で熱交換された空気を前記吹き出し口から吹き出すファンと、前記ファンと前記吹き出し口を連通する送風路とを備え、前記スタビライザを変形させて、前記送風路の通路面積を変えるようにしたもので、バサツキ音が発生していないときは、送風路を縮小しないようにして、風量を確保するようにし、反対にバサツキ音が発生し
た時には、リアガイダを変形させて、送風路の通路面積を縮小することで、静圧を向上させバサツキ音を防止することができる。
【発明の効果】
【０００９】
本発明の空気調和機は、送風性能の低下を最小限に抑えながら、サージングを抑えることができる。
【発明を実施するための最良の形態】
【００１０】
第１の発明は、熱交換器と、スタビライザとリアガイダで形成された吹き出し口と、前記熱交換器で熱交換された空気を前記吹き出し口から吹き出すファンと、前記ファンと前記吹き出し口を連通する送風路とを備え、前記リアガイダを変形させて、前記送風路の通路面積を変えるようにしたもので、バサツキ音が発生していないときは、送風路を縮小しないようにして、風量を確保するようにし、反対にバサツキ音が発生した時には、リアガイダを変形させて、送風路の通路面積を縮小することで、静圧を向上させバサツキ音を防止することができる。
【００１１】
第２の発明は、熱交換器と、スタビライザとリアガイダで形成された吹き出し口と、前記熱交換器で熱交換された空気を前記吹き出し口から吹き出すファンと、前記ファンと前記吹き出し口を連通する送風路とを備え、前記スタビライザを変形させて、前記送風路の通路面積を変えるようにしたもので、バサツキ音が発生していないときは、送風路を縮小しないようにして、風量を確保するようにし、反対にバサツキ音が発生した時には、リアガイダを変形させて、送風路の通路面積を縮小することで、静圧を向上させバサツキ音を防止することができる。
【００１２】
第３の発明は、特に、第１または第２の発明のファンの回転数に応じて、リアガイダ又は／及びスタビライザを変形させるもので、ファンの回転数に応じて、すなわち風量に応じて送風路の通路面積を変えるようにし、例えば、バサツキ音のひどくない風量域では送風路を縮小しないようにすることにより、送風性能の低下を引き起こすことが無い。
【００１３】
第４の発明は、特に、第３の発明のファンの回転数が低い場合は、送風路の通路面積を縮小するように、前記ファンの回転数が高い場合には前記送風路の通路面積を拡大するように、リアガイダ又は／及びスタビライザを変形させるもので、ファンの回転数と風量とは比例の関係にあるので、ファンの回転数に合わせて的確な制御ができる。
【００１４】
第５の発明は、特に、第１〜４のいずれか一つの発明の吹き出し口に空気の吹き出し方向を変える風向変更羽根を回動自在に設け、送風路の通路面積の縮小・拡大及び前記風向変更羽根による風向変更を助長するように、リアガイダ又は／及びスタビライザを変形させるもので、上下方向の風向変更を顕著に行うことができる。
【００１５】
第６の発明は、特に、第１〜５のいずれか一つの発明の風向変更羽根を送風路の延長上に配置したもので、送風性能を向上させることができる。
【００１６】
以下、本発明の実施の形態について図面を参照しながら説明する。なお、この実施の形態によって本発明が限定されるものではない。
【００１７】
（実施の形態１）
図１は、本発明の第１の実施の形態における空気調和機の室内ユニットの斜視図、図２は、同室内ユニットの断面図（図１のＡ−Ａ線断面図）である。なお、従来の空気調和機と同一部分については、同一符号を付してその説明を省略する。
【００１８】
図１、２において、空気調和機の本体１は、台枠２と、この台枠２の前方に取り付けられた前面カバー３とからなり、台枠２および前面カバー３の上部には、吸い込みグリル４が設けられている。
【００１９】
９は、熱交換器５で熱交換された空気を室内に吹き出す吹き出し口で、スタビライザ８とリアガイダ７ａで形成されている。１１は、吹き出し口９とファン６とを連通する送風路である。
【００２０】
リアガイダ７ａは、送風路１１の途中に形成された曲げ支点１３を中心に回動自在に変形できるようになっている。すなわち、リアガイダ７ａを回動させることにより、曲げ支点１３から下流部の送風路１１の通路面積を縮小又は拡大できるようになっている。これによって、風量の小さい場合または大きい場合に対応した高効率な送風路１１を形成することができる。
【００２１】
（実施の形態２）
図３は、本発明の第２の実施の形態における空気調和機の室内ユニットの断面図（図１のＡ−Ａ線断面図）である。なお、上記第１の実施の形態における空気調和機と同一部分については、同一符号を付してその説明を省略する。
【００２２】
本実施の形態は、図３に示すように、吹き出し口９を、スタビライザ８ａとリアガイダ７で形成し、スタビライザ８ａを、送風路１１の途中に形成された曲げ支点１３ａを中心に回動自在に変形できるようにしたものである。
【００２３】
すなわち、曲げ支点１３ａから下流側の送風路１１の通路面積を縮小及び拡大できるように、スタビライザ８ａが回動できるようにしたもので、これによって、風量の小さい場合または大きい場合に対応した高効率な送風路１１を形成することができる。
【００２４】
なお、ファン６の回転数に応じて、リアガイダ７ａ、スタビライザ８ａを回動させて送風路１１の通路面積を変えるようにすれば、風量の小さい場合または大きい場合に対応した高効率な送風路１１を形成することができる。
【００２５】
具体的には、風量とファン６の回転数が比例の関係にあることから、回転数の高い場合すなわち風量の大きい場合には、送風路１１の通路面積を拡大する方向に、また、ファン６の回転数の低い場合すなわち風量の小さい場合には、送風路１１の通路面積を縮小する方向にリアガイダ７ａ、スタビライザ８ａを回動させることにより、簡単な制御方法で送風路１１を縮小及び拡大ができ高効率化が図れるものである。
【００２６】
（実施の形態３）
図４は、本発明の第３の実施の形態における空気調和機の室内ユニットの断面図（図１のＡ−Ａ線断面図）である。なお、上記実施の形態における空気調和機と同一部分については、同一符号を付してその説明を省略する。
【００２７】
本実施の形態は、図４に示すように、送風路１１の途中に設けた曲げ支点１３を中心に回動するリアガイダ７ａと、同じく送風路１１の途中に設けた曲げ支点１３ａを中心に回動するスタビライザ８ａを設けると共に、吹き出し口９からの空気の吹き出し方向を変更する風向変更羽根１４を吹き出し口９に回動自在に設置したものである。
【００２８】
以上のように本実施の形態によれば、吹出し形状が縮小・拡大と変化することにより風向が変化し、それに対応して通風抵抗の小さい位置に風向変更羽根１４が可動する。これにより、通風抵抗が低く入力低減となり、省エネを図ることができる。
【００２９】
（実施の形態４）
図５は、本発明の第４の実施の形態における空気調和機の室内ユニットの断面図（図１のＡ−Ａ線断面図）である。なお、上記実施の形態における空気調和機と同一部分については、同一符号を付してその説明を省略する。
【００３０】
本実施の形態は、図５に示すように、送風路１１の途中に設けた曲げ支点１３を中心に回動するリアガイダ７ａと、送風路１１の途中に設けた曲げ支点１３ａを中心に回動するスタビライザ８ａを設けると共に、吹き出し口９からの空気の吹き出し方向を変更する風向変更羽根１４を、吹き出し口９に回動自在に、且つリアガイダ７ａ及びスタビライザ８ａのそれぞれの延長上に設置したものである。
【００３１】
これにより、ディフューザの効果により、動圧を回収することができ低入力化を図ることができる。
【産業上の利用可能性】
【００３２】
以上のように、本発明にかかる空気調和機は、送風効率の向上と入力低減（省エネ）を可能とするもので、家庭用、業務用各種空気調和機に適用できる。
【図面の簡単な説明】
【００３３】
【図１】本発明の実施の形態１における空気調和機の室内ユニットの斜視図
【図２】同室内ユニットの断面図（図１のＡ−Ａ線断面図）
【図３】本発明の実施の形態２における空気調和機の室内ユニットの断面図（図１のＡ−Ａ線断面図）
【図４】本発明の実施の形態３における空気調和機の室内ユニットの断面図（図１のＡ−Ａ線断面図）
【図５】本発明の実施の形態４における空気調和機の室内ユニットの断面図（図１のＡ−Ａ線断面図）
【図６】従来の空気調和機の室内ユニットの断面図
【符号の説明】
【００３４】
１  本体
２  台枠
３  前面カバー
４  吸い込みグリル
５  熱交換器
６  ファン
７、７ａ  リアガイダ
８、８ａ  スタビライザ
９  吹き出し口
１１  送風路
１３、１３ａ  曲げ支点
１４  風向変更羽根
【図１】
2008008500.tif 000003
【図２】
2008008500.tif 000004
【図３】
2008008500.tif 000005
【図４】
2008008500.tif 000006
【図５】
2008008500.tif 000007
【図６】
2008008500.tif 000008